(57)【要約】本発明は、移動通信システムのマルチメディアブロードキャスト／マルチキャストサービス（Ｍｕｌｔｉｍｅｄｉａ  Ｂｒｏａｄｃａｓｔ／  Ｍｕｌｔｉｃａｓｔ  Ｓｅｒｖｉｃｅ：  ＭＢＭＳ）に関し、特に、ネットワークと移動端末間にＭＢＭＳデータを不連続的に送受信する方法に関する。ネットワークと移動端末間の１対多サービスデータの不連続送受信は、前記ネットワークから前記移動端末に第１共用チャネルでスケジューリング情報を送信することにより達成される。前記移動端末は、前記スケジューリング情報に応じて前記サービスを受信する時間を決定し、第２共用チャネルで前記サービスデータを不連続的に受信する。
2007511940.tif 000002
【特許請求の範囲】
【請求項１】
移動通信システムの移動端末が１対多サービスを受信する方法において、
１対多サービスデータを不連続的に受信するために、前記１対多サービスに加入している複数の移動端末に第１共用チャネルで提供されたスケジューリング情報をネットワークから受信する段階と、
前記スケジューリング情報に応じて１対多サービスデータを受信する時間を決定する段階と、
移動端末が第２共用チャネルで１対多サービスデータを不連続的に受信する段階と
を含むことを特徴とする１対多サービス受信方法。
【請求項２】
前記第１共用チャネル及び第２共用チャネルが、共用物理チャネルにマッピングされることを特徴とする請求項１に記載の１対多サービス受信方法。
【請求項３】
前記スケジューリング情報が、前記共用物理チャネルにマッピングされた他の共用トラヒック論理チャネルに関連した情報を含むことを特徴とする請求項２に記載の１対多サービス受信方法。
【請求項４】
前記スケジューリング情報が、前記共用物理チャネルで伝送された１対多サービスデータに関連した情報を含むことを特徴とする請求項２に記載の１対多サービス受信方法。
【請求項５】
前記第１共用チャネルが、共用制御論理チャネルを含むことを特徴とする請求項１に記載の１対多サービス受信方法。
【請求項６】
前記第２共用チャネルが、共用トラヒック論理チャネルを含むことを特徴とする請求項１に記載の１対多サービス受信方法。
【請求項７】
前記スケジューリング情報が、周期的に受信されることを特徴とする請求項１に記載の１対多サービス受信方法。
【請求項８】
前記移動端末が、第３共用チャネルで前記スケジューリング情報を受信するために周期情報を受信することを特徴とする請求項７に記載の１対多サービス受信方法。
【請求項９】
前記スケジューリング情報が、１対多サービスデータの不連続送信中に受信されることを特徴とする請求項７に記載の１対多サービス受信方法。
【請求項１０】
前記スケジューリング情報が、非周期的に受信されることを特徴とする請求項１に記載の１対多サービス受信方法。
【請求項１１】
前記移動端末が、次のスケジューリング情報が第１共用チャネルでいつ伝送されるかに関連した情報を受信することを特徴とする請求項１０に記載の１対多サービス受信方法。
【請求項１２】
前記スケジューリング情報が、１対多サービスデータの不連続送信中に受信されることを特徴とする請求項１０に記載の１対多サービス受信方法。
【請求項１３】
前記スケジューリング情報が、１対多サービスデータの不連続送信に関連した情報を含むことを特徴とする請求項１に記載の１対多サービス受信方法。
【請求項１４】
前記移動端末が、前記スケジューリング情報に関連した周期の間１対多サービス受信を一時停止することを特徴とする請求項１３に記載の１対多サービス受信方法。
【請求項１５】
前記スケジューリング情報が、１対多サービスデータの連続送信に関連した情報を含むことを特徴とする請求項１に記載の１対多サービス受信方法。
【請求項１６】
前記移動端末が、前記スケジューリング情報に関連した周期の間１対多サービスデータを受信することを特徴とする請求項１５に記載の１対多サービス受信方法。
【請求項１７】
前記スケジューリング情報が、１対多サービスデータの連続受信の開始時間に関連した情報を含むことを特徴とする請求項１に記載の１対多サービス受信方法。
【請求項１８】
前記移動端末が、前記スケジューリング情報に関連した周期の間に前記開始時間から１対多サービスデータを受信することを特徴とする請求項１７に記載の１対多サービス受信方法。
【請求項１９】
前記スケジューリング情報が、１対多サービスを識別するためのサービス識別子を含むことを特徴とする請求項１に記載の１対多サービス受信方法。
【請求項２０】
前記スケジューリング情報が、前記第２共用チャネルを識別するための識別子を含むことを特徴とする請求項１に記載の１対多サービス受信方法。
【請求項２１】
前記第２共用チャネルが、第３共用チャネルで伝送された情報に応じて構成されることを特徴とする請求項１に記載の１対多サービス受信方法。
【請求項２２】
スケジューリング情報モードによって前記スケジューリング情報を選択的に受信する段階と、
前記スケジューリング情報モードを指示するためのモードインジケータを受信する段階と、をさらに含み、
ここで、前記スケジューリング情報モードは、
前記１対多サービスデータの不連続受信中に前記スケジューリング情報を一回受信するモードと、
前記１対多サービスデータの不連続受信中に前記スケジューリング情報を周期的に受信するモードと、
前記１対多サービスデータの不連続受信中に前記スケジューリング情報を非周期的に受信するモードとのうち少なくとも１つを含むことを特徴とする請求項１に記載の１対多サービス受信方法。
【請求項２３】
前記モードインジケータが、前記第１共用チャネル、１対多ＲＲＣメッセージを使用する第３共用チャネル、及びシステム情報を使用する第４共用チャネルのうち少なくとも１つで受信されることを特徴とする請求項２２に記載の１対多サービス受信方法。
【請求項２４】
移動通信システムのネットワークから１対多サービスを送信する方法において、
１対多サービスデータを不連続的に受信するために、前記１対多サービスに加入している複数の移動端末に第１共用チャネルで提供されたスケジューリング情報を移動端末に送信する段階と、
移動端末が第２共用チャネルで１対多サービスデータを不連続的に送信する段階と
を含むことを特徴とする１対多サービス送信方法。
【請求項２５】
前記第１共用チャネル及び第２共用チャネルが、共用物理チャネルにマッピングされることを特徴とする請求項２４に記載の１対多サービス送信方法。
【請求項２６】
前記スケジューリング情報が、前記共用物理チャネルにマッピングされた他の共用トラヒック論理チャネルに関連した情報を含むことを特徴とする請求項２５に記載の１対多サービス送信方法。
【請求項２７】
前記スケジューリング情報が、前記共用物理チャネルで伝送された他の１対多サービスデータに関連した情報を含むことを特徴とする請求項２５に記載の１対多サービス送信方法。
【請求項２８】
前記第１共用チャネルが、共用制御論理チャネルを含むことを特徴とする請求項２４に記載の１対多サービス送信方法。
【請求項２９】
前記第２共用チャネルが、共用トラヒック論理チャネルを含むことを特徴とする請求項２４に記載の１対多サービス送信方法。
【請求項３０】
前記スケジューリング情報が、周期的に送信されることを特徴とする請求項２４に記載の１対多サービス送信方法。
【請求項３１】
前記ネットワークが、第３共用チャネルで前記スケジューリング情報を送信するための周期情報を送信することを特徴とする請求項３０に記載の１対多サービス送信方法。
【請求項３２】
前記スケジューリング情報が、１対多サービスデータの不連続送信中に送信されることを特徴とする請求項３０に記載の１対多サービス送信方法。
【請求項３３】
前記スケジューリング情報が、非周期的に送信されることを特徴とする請求項２４に記載の１対多サービス送信方法。
【請求項３４】
前記ネットワークが、次のスケジューリング情報が第１共用チャネルでいつ伝送されるかに関連した情報を送信することを特徴とする請求項３３に記載の１対多サービス送信方法。
【請求項３５】
前記スケジューリング情報が、１対多サービスデータの不連続送信中に送信されることを特徴とする請求項３３に記載の１対多サービス送信方法。
【請求項３６】
前記スケジューリング情報が、１対多サービスデータの不連続送信に関連した情報を含むことを特徴とする請求項２４に記載の１対多サービス送信方法。
【請求項３７】
前記ネットワークが、前記スケジューリング情報に関連した周期の間１対多サービス送信を一時停止することを特徴とする請求項３６に記載の１対多サービス送信方法。
【請求項３８】
前記スケジューリング情報が、１対多サービスデータの連続送信に関連した情報を含むことを特徴とする請求項２４に記載の１対多サービス送信方法。
【請求項３９】
前記ネットワークが、前記スケジューリング情報に関連した周期の間１対多サービスデータを送信することを特徴とする請求項３８に記載の１対多サービス送信方法。
【請求項４０】
前記スケジューリング情報が、１対多サービスデータの連続送信の開始時間に関連した情報を含むことを特徴とする請求項２４に記載の１対多サービス送信方法。
【請求項４１】
前記ネットワークが、前記スケジューリング情報に関連した周期の間に前記開始時間から１対多サービスデータを送信することを特徴とする請求項４０に記載の１対多サービス送信方法。
【請求項４２】
前記スケジューリング情報が、１対多サービスを識別するためのサービス識別子を含むことを特徴とする請求項２４に記載の１対多サービス送信方法。
【請求項４３】
前記スケジューリング情報が、前記第２共用チャネルを識別するための識別子を含むことを特徴とする請求項２４に記載の１対多サービス送信方法。
【請求項４４】
前記第２共用チャネルが、第３共用チャネルで伝送された情報に応じて構成されることを特徴とする請求項２４に記載の１対多サービス送信方法。
【請求項４５】
スケジューリング情報モードに従って前記スケジューリング情報を送信する段階と、
前記スケジューリング情報モードを指示するためのモードインジケータを送信する段階と、をさらに含み、
ここで、前記スケジューリング情報モードは、
前記１対多サービスデータの不連続送信中に前記スケジューリング情報を一回送信するモードと、
前記１対多サービスデータの不連続送信中に前記スケジューリング情報を周期的に送信するモードと、
前記１対多サービスデータの不連続送信中に前記スケジューリング情報を非周期的に送信するモードとのうち少なくとも１つを含むことを特徴とする請求項２４に記載の１対多サービス送信方法。
【請求項４６】
前記モードインジケータが、前記第１共用チャネル、１対多ＲＲＣメッセージを使用する第３共用チャネル、及びシステム情報を使用する第４共用チャネルのうち少なくとも１つで送信されることを特徴とする請求項４５に記載の１対多サービス送信方法。
【発明の詳細な説明】
【技術分野】
【０００１】
本発明は、移動通信システムのマルチメディアブロードキャスト／マルチキャストサービス（Ｍｕｌｔｉｍｅｄｉａ  Ｂｒｏａｄｃａｓｔ／  Ｍｕｌｔｉｃａｓｔ  Ｓｅｒｖｉｃｅ：  ＭＢＭＳ）に関し、特に、ネットワークと移動端末間にＭＢＭＳデータを不連続的に送受信する方法に関する。
【背景技術】
【０００２】
ＵＭＴＳは、欧州式標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）システムから進化した第３世代移動通信システムである。前記ＵＭＴＳは、ＧＳＭコアネットワーク及びＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術に基づいて、より向上した移動通信サービスの提供を目標とする。
【０００３】
図１は、従来のＵＭＴＳネットワーク構造を示す。移動端末又はユーザ装備（ＵＥ）は、ＵＭＴＳ無線アクセスネットワーク（ＵＭＴＳ  Ｔｅｒｒｅｓｔｒｉａｌ  Ｒａｄｉｏ  Ａｃｃｅｓｓ  Ｎｅｔｗｏｒｋ：ＵＴＲＡＮ）を介してコアネットワークに接続する。前記ＵＴＲＡＮは、エンドツーエンドのサービス品質要求を満足させるために、ＵＥとコアネットワーク間の通信のための無線接続ベアラを設定、維持及び管理する。
【０００４】
前記ＵＴＲＡＮは、複数の無線ネットワークサブシステム（Ｒａｄｉｏ  Ｎｅｔｗｏｒｋ  Ｓｕｂ−ｓｙｓｔｅｍ：  ＲＮＳ）を含み、各ＲＮＳは、複数の基地局又は「Ｎｏｄｅ  Ｂ」のための１つの無線ネットワーク制御装置（Ｒａｄｉｏ  Ｎｅｔｗｏｒｋ  Ｃｏｎｔｒｏｌｌｅｒ：  ＲＮＣ）を含む。所定基地局に接続されたＲＮＣは、１つのセルで動作する複数のＵＥに提供される共有リソースを割り当て及び管理するコントローリングＲＮＣである。１つのＮｏｄｅ  Ｂには１つ以上のセルが存在する。前記コントローリングＲＮＣは、トラヒックロード、セル輻輳（ｃｏｎｇｅｓｔｉｏｎ）及び新しい無線リンクの受容を制御する。各Ｎｏｄｅ  Ｂは、アップリンク信号をＵＥから受信し、ダウンリンク信号をＵＥに送信する。各Ｎｏｄｅ  Ｂは、ＵＥとＵＴＲＡＮを接続するためのアクセスポイントとしての機能を果たし、ＲＮＣは、該当Ｎｏｄｅ  Ｂとコアネットワークを接続するためのアクセスポイントとしての機能を果たす。
【０００５】
前記ＵＴＲＡＮのＲＮＳのうち、サービングＲＮＣは、特定ＵＥにサービスを提供する専用無線リソースを管理するＲＮＣであり、前記特定ＵＥにデータを送信するためのコアネットワークとのアクセスポイントである。前記ＵＥに接続された他の全てのＲＮＣがドリフト（ｄｒｉｆｔ）ＲＮＣであるため、前記ＵＴＲＡＮを介して前記ＵＥと前記コアネットワークを接続するサービングＲＮＣは１つのみが存在する。前記ドリフトＲＮＣは、ユーザデータのルーティングを容易にし、共有リソースとして符号を割り当てる。
【０００６】
前記ＵＥと前記ＵＴＲＡＮ間のインタフェースは、無線アクセスネットワーク規格に準拠して設定された無線インタフェースプロトコルにより実現されるが、この無線インタフェースプロトコルは、例えば、３ＧＰＰ規格で説明された物理層（Ｌ１）とデータリンク層（Ｌ２）、及びネットワーク層（Ｌ３）からなる。これらの層は、通信システムにおいて公知の開放型システム間相互接続（ＯＳＩ）参照モデルの下位３層に基づく。従来の無線インタフェースプロトコルの構造は、図２に示す。図２に示すように、前記無線インタフェースプロトコルは、水平的には、物理層と、データリンク層と、ネットワーク層とに区分され、垂直的には、音声信号及びインターネットプロトコルパケット送信などのデータ情報（データトラヒック）を転送するためのユーザプレーンと、インタフェースの維持及び管理のための制御情報を転送するための制御プレーンとに区分される。
【０００７】
物理層（ＰＨＹ）は、上位層に情報転送サービスを提供し、媒体アクセス制御（ＭＡＣ）層とは送信チャネル（Ｔｒａｎｓｐｏｒｔ  Ｃｈａｎｎｅｌ）で接続される。前記ＭＡＣ層と前記物理層間を送信チャネルを介してデータが移動する。また、データ送信は、相異なる物理層間、すなわち、送信側（送信機）と受信側（送信機）の物理層間に物理チャネルを介して行われる。
【０００８】
第２層であるＭＡＣ層は、論理チャネルで上位層である無線リンク制御（Ｒａｄｉｏ  Ｌｉｎｋ  Ｃｏｎｔｒｏｌ：  ＲＬＣ）層にサービスを提供する。前記ＲＬＣは、信頼性あるデータ送信をサポートし、上位層からのＲＬＣサービスデータ単位（ＳＤＵ）の分割及び連結機能を果たす。
【０００９】
第３層Ｌ３の最下部に位置する無線リソース制御（Ｒａｄｉｏ  Ｒｅｓｏｕｒｃｅ  Ｃｏｎｔｒｏｌ：ＲＲＣ）層は制御プレーンにおいてのみ定義され、無線ベアラ（Ｒａｄｉｏ  Ｂｅａｒｅｒ：ＲＢ）の設定、再設定及び解除に関連して転送チャネル及び物理チャネルを制御する。ここで、ＲＢは、前記ＵＥと前記ＵＴＲＡＮ間のデータ転送及び前記ＵＥと前記ＵＴＲＡＮ間の所定サービス品質の保障のために、ＲＬＣ層又はＭＡＣ層などの下位層により提供されるサービスである。
【００１０】
ＲＢの設定とは、特定サービスを提供するために必要なプロトコル層及びチャネルの特性を規定することで、前記サービスのパラメータ及び動作方法を設定することである。特定ＵＥのＲＲＣ層とＵＴＲＡＮのＲＲＣ層がＲＲＣメッセージを交換し得るように接続されているときは、前記ＵＥがＲＲＣ接続状態にあるといい、接続されていないときは、該当ＵＥがアイドル状態にあるという。
【００１１】
ＵＴＲＡＮ  ＲＲＣ層は、無線ベアラを制御するために端末（ＵＥ）ＲＲＣに１つ以上の測定を要求する。例えば、前記ＵＴＲＡＮ  ＲＲＣ層は、前記ＵＥ  ＲＲＣに特定セルにおいて送信されたチャネルの電力を測定するか、特定周波数で送信されたチャネルの電力を測定することを要求する。
【００１２】
以下、ＭＢＭＳ（又は、ＭＢＭＳサービス）について説明する。ＭＢＭＳは、１対多（Ｐｏｉｎｔ−ｔｏ−ｍｕｌｔｉｐｏｉｎｔ）無線ベアラ及び１対１（Ｐｏｉｎｔ−ｔｏ−ｐｏｉｎｔ）無線ベアラの少なくとも１つを使用するＭＢＭＳ無線ベアラを利用して複数のＵＥにストリーミング及びバックグラウンドサービスを提供する方法をいう。１つのＭＢＭＳサービスは、１つ以上のセッションを含み、ＭＢＭＳデータは、セッションの進行中にのみＭＢＭＳ無線ベアラを介して複数の端末に送信される。ここで、セッションは、特定データがネットワークにより送信される間の時間周期である。
【００１３】
ＭＢＭＳは、その名称から分かるように、ブロードキャストモード又はマルチキャストモードで行われる。前記ブロードキャストモードは、ブロードキャスト領域、例えば、ブロードキャストサービスが有用なドメイン内でマルチメディアデータを全てのＵＥに送信するためのモードである。前記マルチキャストモードは、マルチキャスト領域、例えば、マルチキャストサービスが有用なドメイン内でマルチメディアデータを特定ＵＥグループに送信するためのモードである。
【００１４】
前記ＵＴＲＡＮは、ＲＢを使用してＭＢＭＳサービスを複数のＵＥに提供する。前記ＵＴＲＡＮにより使用されるＲＢは、１対１ＲＢと１対多ＲＢに分類される。前記１対１ＲＢは、双方向ＲＢ（ｂｉ−ｄｉｒｅｃｔｉｏｎａｌ  ＲＢ）であり、論理チャネルＤＴＣＨ（Ｄｅｄｉｃａｔｅｄ  Ｔｒａｆｆｉｃ  Ｃｈａｎｎｅｌ）、送信チャネルＤＣＨ（Ｄｅｄｉｃａｔｅｄ  Ｃｈａｎｎｅｌ）、物理チャネルＤＰＣＨ（Ｄｅｄｉｃａｔｅｄ  Ｐｈｙｓｉｃａｌ  Ｃｈａｎｎｅｌ）を含む。又は、前記１対１ＲＢは、前記ＤＴＣＨ、送信チャネルＦＡＣＨ（Ｆｏｒｗａｒｄ  Ａｃｃｅｓｓ  Ｃｈａｎｎｅｌ）、及び物理チャネルＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を含むこともできる。
【００１５】
１対多ＲＢは、単方向ダウンリンクＲＢ（ｕｎｉ−ｄｉｒｅｃｔｉｏｎａｌ  ｄｏｗｎｌｉｎｋ  ＲＢ）であり、論理チャネルＭＴＣＨ（ＭＢＭＳ  Ｔｒａｆｆｉｃ  Ｃｈａｎｎｅｌ）、送信チャネルＦＡＣＨ、及び物理チャネルＳＣＣＰＣＨを含む。前記論理チャネルＭＴＣＨは、１つのセルに提供されるそれぞれのＭＢＭＳサービス毎に設定され、特定ＭＢＭＳサービスのユーザプレーンデータを前記ＵＥに送信するために使用される。
【００１６】
前記ＭＢＭＳサービスを提供するＵＴＲＡＮは、ＭＣＣＨで制御メッセージ、すなわち、ＭＢＭＳに関連したＲＲＣメッセージを複数の端末（ＵＥ）に送信する。前記ＭＢＭＳに関連した制御メッセージは、ＭＢＭＳサービス情報を提供するメッセージ及び１対多ＲＢ情報を提供するメッセージを含む。図３に示すように、前記論理チャネルＭＣＣＨは、１対多ダウンリンクチャネルであり、ＳＣＣＰＣＨにマッピングされたＦＡＣＨにマッピングされる。１つのセルには１つのＭＣＣＨが存在する。
【００１７】
従って、前記１対多ＲＢを使用する特定ＭＢＭＳサービスを受けることを所望する端末は、ＭＣＣＨでＲＢ情報を含むＲＲＣメッセージを受信し、前記ＲＢ情報を利用して１対多ＲＢを設定する。前記１対多ＲＢが設定された後、前記端末は、ＭＴＣＨがマッピングされた物理チャネルＳＣＣＰＣＨを継続して受信して前記ＭＴＣＨで送信された特定ＭＢＭＳサービスデータを得る。
【００１８】
しかしながら、従来の技術において、前記端末は、セッション中に前記ＭＢＭＳデータが前記ＭＴＣＨでいつ送信されるか、すなわち、正確なＭＢＭＳデータの送信時間を認識できないため、前記セッション中に前記ＭＴＣＨがマッピングされた前記ＳＣＣＰＣＨを連続的に受信しなければならない。従って、前記端末は、前記セッション中に他のセルのチャネルの測定のような他の動作を行うことができない。さらに、前記端末は、前記測定動作を行うと、前記測定動作中に送信されるＭＢＭＳデータを受信することができない。
【発明の開示】
【発明が解決しようとする課題】
【００１９】
本発明の目的は、無線システムと移動端末間にＭＢＭＳデータを不連続的に送受信する方法を提供することにある。
【００２０】
本発明の付加的な長所と特徴は以下の説明に記載され、一部は当業者が以下の内容を検討するか、又は発明を実施することにより明確になる。本発明の他の長所と目的は以下に記載の説明、請求項、添付図面によって特別に指摘された構成によって実現及び達成される。
【課題を解決するための手段】
【００２１】
このような本発明の目的を達成するためには、本発明は、移動通信システムの移動端末における１対多サービス受信方法により実現され、前記方法は、１対多サービスデータを不連続的に受信するために、前記１対多サービスに加入している複数の移動端末に第１共用チャネルで提供されたスケジューリング情報をネットワークから受信する段階と、前記スケジューリング情報に応じて１対多サービスデータを受信する時間を決定する段階と、第２共用チャネルで移動端末が１対多サービスデータを不連続的に受信する段階とを含む。
【００２２】
前記第１共用チャネル及び前記第２共用チャネルは、共用物理チャネルにマッピングされる。前記スケジューリング情報は、共用物理チャネルにマッピングされた他の共用トラヒック論理チャネルに関連した情報を含む。また、前記スケジューリング情報は、共用物理チャネルで送信された他の１対多サービスデータに関連した情報を含む。前記第１共用チャネルは、共用制御論理チャネルを含み、前記第２共用チャネルは、共用トラヒック論理チャネルを含む。
【００２３】
本発明の一実施形態において、前記スケジューリング情報は周期的に受信され、前記移動端末は、第３共用チャネルで前記スケジューリング情報を受信するための周期情報を受信する。また、前記スケジューリング情報は、１対多サービスデータの不連続送信中に受信される。
【００２４】
本発明の他の実施形態において、前記スケジューリング情報は非周期的に受信され、ここで、前記移動端末は、次のスケジューリング情報が第１チャネルでいつ送信されるかに関連した情報を受信する。また、前記スケジューリング情報は、１対多サービスデータの不連続送信中に受信される。
【００２５】
本発明の他の態様において、前記スケジューリング情報は、１対多サービスデータの不連続送信に関連した情報を含み、ここで、前記移動端末は、前記スケジューリング情報に関連した周期の間１対多サービスデータの受信を一時停止する。
【００２６】
また、前記スケジューリング情報は、前記１対多サービスデータの連続送信に関連した情報を含み、ここで、前記移動端末は、前記スケジューリング情報に関連した周期の間１対多サービスデータを受信する。
【００２７】
前記スケジューリング情報は、前記１対多サービスデータの連続送信の開始時間に関連した情報を含み、ここで、前記移動端末は、前記スケジューリング情報に関連した周期の間に開始時間から１対多サービスデータを受信する。
【００２８】
さらに、本発明の態様において、前記スケジューリング情報は、前記１対多サービスを識別するサービス識別子を含むことができる。前記スケジューリング情報は、さらに、前記第２共用チャネルを識別する識別子も含む。前記第２共用チャネルは、第３共用チャネルで送信される情報に応じて形成される。
【００２９】
本発明の他の態様において、前記方法は、スケジューリング情報モードによって前記スケジューリング情報を選択的に受信する段階と、前記スケジューリング情報モードを指示するモードインジケータを受信する段階とをさらに含み、前記スケジューリング情報モードは、前記１対多サービスデータの不連続受信中に前記スケジューリング情報を１回受信するモードと、前記１対多サービスデータの不連続受信中に前記スケジューリング情報を周期的に受信するモードと、前記１対多サービスデータの不連続受信中に前記スケジューリング情報を非周期的に受信するモードとのうち少なくとも１つを含む。好ましくは、前記インジケータは、第１共用チャネル、１対多ＲＲＣメッセージを使用する第３共用チャネル、及びシステム情報を使用する第４共用チャネルのうち少なくとも１つで受信される。
【００３０】
移動通信システムのネットワークから１対多サービスを送信するための方法は、１対多サービスデータを不連続的に受信する移動端末にスケジューリング情報を送信する段階を含み、ここで、前記スケジューリング情報は、前記１対多サービスに加入しており、かつ、前記移動端末内の１対多サービスデータを第２共用チャネルで不連続的に送信する複数の移動端末に、第１共用チャネルで提供される。
【００３１】
前記第１共用チャネル及び第２共用チャネルは共用物理チャネルにマッピングされ、ここで、前記スケジューリング情報は、前記共用物理チャネルにマッピングされた他の共用トラヒック論理チャネルに関連した情報を含む。前記スケジューリング情報は、前記共用物理チャネルで送信された他の１対多サービスデータに関連した情報をさらに含む。前記第１共用チャネルは、共用制御論理チャネルを含む。前記第２共用チャネルは、共用トラヒック論理チャネルを含む。
【００３２】
本発明の一実施形態において、前記スケジューリング情報は周期的に送信され、ここで、前記ネットワークは、第３共用チャネルで前記スケジューリング情報を送信するための周期情報を送信する。さらに、前記スケジューリング情報は、前記１対多サービスデータの不連続送信中に送信される。
【００３３】
本発明の他の実施形態において、前記スケジューリング情報は非周期的に送信され、ここで、前記ネットワークは、次のスケジューリング情報が第１共用チャネルでいつ送信されるかに関連した情報を送信する。さらに、前記スケジューリング情報は、前記１対多サービスデータの不連続送信中に送信される。
【００３４】
本発明の一態様において、前記スケジューリング情報は、前記１対多サービスデータの不連続送信に関連した情報を含み、ここで、前記ネットワークは、前記スケジューリング情報に関連した周期の間前記１対多サービスデータの送信を一時停止する。
【００３５】
本発明の他の態様において、前記スケジューリング情報は、前記１対多サービスデータの連続送信に関連した情報を含み、ここで、前記ネットワークは、前記スケジューリング情報に関連した周期の間前記１対多サービスデータを送信する。
【００３６】
前記スケジューリング情報は、前記１対多サービスデータの連続送信の開始時間に関連した情報を含み、ここで、前記ネットワークは、前記スケジューリング情報に関連した周期の間に開始時間から前記１対多サービスデータを送信する。
【００３７】
本発明のさらに他の態様において、前記スケジューリング情報は、前記１対多サービスを識別するサービス識別子を含む。前記スケジューリング情報は、さらに、第２共用チャネルを識別する識別子も含む。前記第２共用チャネルは、第３共用チャネルで送信された情報に応じて形成される。
【００３８】
さらに、本発明の態様において、前記方法は、前記スケジューリング情報モードによってスケジューリング情報を送信する段階と、前記スケジューリング情報モードを指示するモードインジケータを送信する段階とを含み、ここで、前記スケジューリング情報モードは、前記１対多サービスデータの不連続送信中に前記スケジューリング情報を一回送信するモードと、前記１対多サービスデータの不連続送信中に前記スケジューリング情報を周期的に送信するモードと、前記１対多サービスデータの不連続送信中に前記スケジューリング情報を非周期的に送信するモードとのうち少なくとも１つを含む。
【００３９】
好ましくは、前記モードインジケータは、第１共用チャネル、１対多ＲＲＣメッセージを使用する第３共用チャネル、及びシステム情報を使用する第４共用チャネルのうち少なくとも１つで送信される。
【００４０】
本発明についての前記一般的な説明と以下の詳細な説明は、単に実施形態を提示して説明をするためのものであり、本発明についての追加的な説明のために記載されたものであることが明白である。
【発明の効果】
【００４１】
本発明によるＭＢＭＳデータの不連続受信方法は、多くの利点を有する。例えば、無線システムは、ＭＢＭＳデータを送信する物理チャネルでＭＢＭＳ制御アシストメッセージを送信し、前記ＭＢＭＳ制御アシストメッセージを利用してＭＢＭＳデータを不連続的に送信する。移動端末は、前記物理チャネルで前記ＭＢＭＳ制御アシストメッセージを受信した後、前記ＭＢＭＳ制御アシストメッセージに従って前記ＭＢＭＳデータを不連続的に受信する。
【００４２】
従って、前記移動端末は、効率的に前記ＭＢＭＳデータを受信したり、測定作業を行うことができる。すなわち、前記端末は、ＭＢＭＳサービスの提供中に測定作業を容易に行うことができる。従って、測定作業の実行中に前記端末によりＭＢＭＳデータが受信できなかった従来の問題が解決される。
【発明を実施するための最良の形態】
【００４３】
本発明は、３ＧＰＰ規格に準拠して開発されたＵＭＴＳのような移動通信システムで実現される。しかしながら、本発明は、他の通信システムにも適用できる。
【００４４】
本発明は、１つ以上のＭＢＭＳサービスを提供するネットワークと特定ＭＢＭＳを受信する移動端末間にＭＢＭＳデータを不連続的に送受信する方法に関する。この方法のために、前記ネットワークシステムは、第１物理チャネルでＭＢＭＳ制御メッセージを送信し、第２物理チャネルで前記ＭＢＭＳデータ及び前記ＭＢＭＳ制御メッセージを補助するＭＢＭＳ制御アシストメッセージ（例えば、スケジューリングメッセージ）を送信することにより、前記ＭＢＭＳ制御アシストメッセージによって前記ＭＢＭＳデータを移動端末に不連続的に送信する。
【００４５】
前記移動端末は、第１物理チャネルでＭＢＭＳ制御メッセージを受信し、第２物理チャネルでＭＢＭＳデータ及び前記ＭＢＭＳ制御メッセージを補助するＭＢＭＳ制御アシストメッセージを受信し、前記制御アシストメッセージによって前記ネットワークからＭＢＭＳデータを不連続的に受信する。
【００４６】
前記ＭＢＭＳ制御アシストメッセージは、例えば、ＭＴＣＨで送信されたＭＢＭＳデータのためのＭＢＭＳスケジューリング情報を含み、ＭＢＭＳ送信又は受信の一時停止又は再開を指示する。前記ＭＢＭＳ制御アシストメッセージに含まれたＭＢＭＳスケジューリング情報がＭＢＭＳ送信又は受信の一時停止を指示する場合、前記端末は、前記ＭＢＭＳデータの受信を一時停止する。前記ＭＢＭＳスケジューリング情報がＭＢＭＳ送信又は受信の再開を指示する場合、前記端末は、前記ＭＢＭＳデータの受信を再開する。
【００４７】
また、前記ＭＢＭＳ制御アシストメッセージのＭＢＭＳスケジューリング情報がＭＢＭＳデータの送信又は受信の一時停止を指示する場合、前記ＭＢＭＳスケジューリング情報はさらに一時停止時間情報（Ｓｕｓｐｅｎｓｉｏｎ  Ｔｉｍｅ  Ｉｎｆｏｒｍａｔｉｏｎ）を前記端末に転送する。好ましくは、前記一時停止時間情報は、前記端末が前記ＭＢＭＳデータの受信を一時停止する時点又は前記ＭＢＭＳデータ受信の一時停止期間（又は一時停止オフセット）を含む。
【００４８】
前記ＭＢＭＳ制御メッセージは、前記論理チャネルＭＣＣＨで送信される。前記ＭＢＭＳデータは、前記論理チャネルＭＴＣＨで送信される。前記第１物理チャネルは、好ましくは、前記ＭＣＣＨがマッピングされる物理チャネルＳＣＣＰＣＨであり、前記第２物理チャネルは、好ましくは、前記論理チャネルＭＴＣＨがマッピングされる物理チャネルＳＣＣＰＣＨである。
【００４９】
前記ＭＢＭＳ制御アシストメッセージは、前記論理チャネルＭＴＣＨがマッピングされる第２物理チャネルで送信される。前記ＭＢＭＳ制御アシストメッセージは、好ましくは、前記ＭＣＣＨと異なる論理チャネルで送信される。好ましくは、前記ＭＢＭＳ制御アシストメッセージは、前記第１物理チャネルで送信された制御メッセージを指示するスケジューリング情報を含む。
【００５０】
図４は、本発明の好ましい実施形態によるＭＢＭＳチャネルマッピング構造を示す図である。図４に示すように、ＭＢＭＳデータの不連続送受信のために、Ｓ−ＭＣＣＨ（Ｓｅｃｏｎｄａｒｙ  ＭＣＣＨ）はＭＣＣＨを補助し、ここで、前記Ｓ−ＭＣＣＨは、前記ＭＢＭＳ制御アシストメッセージを前記端末に送信するために使用される。前記論理チャネルＳ−ＭＣＣＨは、送信チャネルＦＡＣＨにマッピングされ、前記ＦＡＣＨは、物理チャネルＳＣＣＰＣＨにマッピングされる。前記Ｓ−ＭＣＣＨは、前記ＭＴＣＨがマッピングされる同一のＳＣＣＰＣＨにマッピングされる。好ましくは、前記Ｓ−ＭＣＣＨは、常に１つ以上のＭＴＣＨがマッピングされる同一のＳＣＣＰＣＨにマッピングされる。さらに、前記Ｓ−ＭＣＣＨは、前記ＭＣＣＨがマッピングされる同一のＳＣＣＰＣＨにマッピングされないことが好ましい。
【００５１】
１セル当たりに１つのＭＣＣＨが存在するが、１セル当たりに存在するＳ−ＭＣＣＨの数は、１つ以上のＭＴＣＨがマッピングされるＳＣＣＰＣＨの数と同一である。好ましくは、１セルには１つ以上のＳ−ＭＣＣＨが存在する。さらに、前記Ｓ−ＭＣＣＨのプロトコルスタックは、前記ＭＣＣＨのプロトコルスタックと同一である。
【００５２】
図４を参照すると、１つのＭＴＣＨは、特定ＭＢＭＳサービスのＭＢＭＳデータを送信するために使用される。前記Ｓ−ＭＣＣＨは、前記Ｓ−ＭＣＣＨと同一のＳＣＣＰＣＨにマッピングされたＭＴＣＨの送受信に関連したＭＢＭＳ制御アシストメッセージを送信する。前記ＭＢＭＳ制御アシストメッセージは、前記ＭＴＣＨで送信された前記ＭＢＭＳデータのためのスケジューリング情報、例えば、送受信インジケータを含む。前記ＭＢＭＳスケジューリング情報は、特定ＭＢＭＳを受信しようとする端末に特定ＭＴＣＨでの前記ＭＢＭＳの受信を一時停止するか再開するかを通知するために使用される。
【００５３】
前記Ｓ−ＭＣＣＨで送信されたＭＢＭＳ制御アシストメッセージは、特定ＭＴＣＨを識別する識別子（ＭＴＣＨ識別子）又は前記ＭＴＣＨで送信されたＭＢＭＳを識別する識別子（ＭＢＭＳ識別子）を有するＭＢＭＳスケジューリング情報を含む。従って、前記ＭＢＭＳスケジューリング情報は、前記ＭＴＣＨ識別子又はＭＢＭＳ識別子を使用することにより、前記ＭＴＣＨで送信されたＭＢＭＳデータの送受信を制御できる。
【００５４】
以下、本発明によるＭＢＭＳデータの不連続送受信動作を説明する。図５〜図７は、前記ＵＴＲＡＮが前記ＳＣＣＰＣＨで送信時間間隔（Ｔｒａｎｓｍｉｓｓｉｏｎ  Ｔｉｍｅ  Ｉｎｔｅｒｖａｌ：  ＴＴＩ）単位で特定ＭＢＭＳデータを不連続的に送信し、前記端末が前記ＳＣＣＰＣＨで特定ＭＢＭＳデータを不連続的に受信する過程を示す。ここで、前記ＴＴＩ単位は、１０ｍｓ、２０ｍｓ、４０ｍｓ又は８０ｍｓに設定される。
【００５５】
図５は、本発明の第１実施形態（モード１）により前記ＵＴＲＡＮと前記端末間にＭＢＭＳデータを不連続に送受信するタイムラインを示す。図５に示すように、一時停止を指示するＭＢＭＳスケジューリング情報は、ＭＢＭＳデータ受信の一時停止区間には繰り返して送信されない。
【００５６】
まず、前記ネットワーク（例えば、ＵＴＲＡＮ）は、特定ＭＢＭＳのための特定ＭＴＣＨがマッピングされるＳＣＣＰＣＨでデータを送信する。前記データは、ＴＴＩ単位で送信される。前記ＭＢＭＳを受信しようとする端末は、前記ＳＣＣＰＣＨでＭＢＭＳデータを受信する（段階Ｓ１）。
【００５７】
特定ＭＢＭＳサービスのための特定ＭＴＣＨでの前記データ送信を一時停止する場合、前記ＵＴＲＡＮは、前記Ｓ−ＭＣＣＨで一時停止を指示するＭＢＭＳスケジューリング情報とＭＢＭＳ識別子（又は、ＭＴＣＨ識別子）を含むＭＢＭＳ制御アシストメッセージを送信する（段階Ｓ２）。
【００５８】
前記端末は、一時停止を指示するＭＢＭＳスケジューリング情報とＭＢＭＳ識別子（又はＭＴＣＨ識別子）を含むＭＢＭＳ制御アシストメッセージを受信する。前記ＵＴＲＡＮは、ＭＢＭＳデータ送信の再開を指示するＭＢＭＳスケジューリング情報が送信される時間情報をＭＢＭＳ制御アシストメッセージに含む。この場合、前記端末は、前記ＭＢＭＳ制御アシストメッセージから再開を指示するＭＢＭＳスケジューリング情報が送信される時間情報を得る。
【００５９】
従って、前記ＵＴＲＡＮは、前記ＭＴＣＨでのＭＢＭＳデータ送信を一時停止し、前記端末は、前記ＭＢＭＳ制御アシストメッセージに含まれた前記ＭＢＭＳスケジューリング情報の指示によって前記ＭＴＣＨでのＭＢＭＳデータ受信を一時停止する（段階Ｓ３）。前記データ受信の一時停止区間に、前記端末は、前記ＵＴＲＡＮの指示によって測定過程のような多様な動作を行うか、前記ＭＣＣＨを受信するか、又はＭＢＭＳのためのページングインジケータチャネルを受信することができる。
【００６０】
段階Ｓ２で、前記ＭＢＭＳデータ送信の再開を指示するＭＢＭＳスケジューリング情報が送信される時間情報が前記ＭＢＭＳ制御アシストメッセージに含まれている場合、前記端末は、前記ＭＢＭＳ制御アシストメッセージから前記再開を指示するＭＢＭＳスケジューリング情報が前記ＵＴＲＡＮから送信される時間情報を検出する。
【００６１】
しかしながら、前記再開を指示するＭＢＭＳスケジューリング情報が送信される時間情報が前記ＭＢＭＳ制御アシストメッセージに含まれていない場合、前記ＵＴＲＡＮは、前記ＭＢＭＳスケジューリング情報が送信される時間情報を前記データ受信一時停止区間に前記ＭＣＣＨ又はページングインジケータチャネルで送信する。
【００６２】
従って、前記端末は、前記ＭＢＭＳスケジューリング情報が送信される時間情報を取得し、前記ＭＢＭＳデータ送信の再開を指示するＭＢＭＳスケジューリング情報が送信される時間情報を検出することができる。
【００６３】
このような方法で、前記端末は、前記再開を指示するＭＢＭＳスケジューリング情報が送信される時間情報を検出し、前記再開を指示するＭＢＭＳスケジューリング情報が送信されるまで前記ＭＴＣＨがマッピングされるＳＣＣＰＣＨでの前記ＭＢＭＳデータの受信を一時停止することができる。
【００６４】
前記ＭＴＣＨでの前記ＭＢＭＳのためのデータ送信を再開する場合、前記ＵＴＲＡＮは、前記ＭＢＭＳデータ送信の再開を指示するＭＢＭＳスケジューリング情報及びＭＢＭＳ識別子（又は、ＭＴＣＨ識別子）を含むＭＢＭＳ制御アシストメッセージを前記端末に送信する（段階Ｓ４）。ここで、前記端末は、前記ＭＢＭＳ制御アシストメッセージを受信し、前記ＭＢＭＳデータ送信の再開を指示するＭＢＭＳスケジューリング情報及び前記ＭＢＭＳ識別子（又は、ＭＴＣＨ識別子）を取得する。
【００６５】
再開を指示するＭＢＭＳスケジューリング情報が送信される時点と前記ＭＴＣＨでＭＢＭＳデータ送信が再開される時点間に時間差がある場合、前記ＵＴＲＡＮは、前記ＭＴＣＨデータ送信再開時点に関する情報をＭＢＭＳ制御アシストメッセージに含む。前記端末は、前記ＭＢＭＳ制御アシストメッセージからＭＴＣＨデータ送信再開時点に関する情報を取得する。
【００６６】
従って、前記ＵＴＲＡＮは、前記ＭＴＣＨでの前記ＭＢＭＳデータ送信を再開し、前記端末は、前記再開を指示するＭＢＭＳスケジューリング情報の指示によって前記ＭＴＣＨでの前記ＭＢＭＳデータ受信を再開する（段階Ｓ５）。
【００６７】
この場合、前記受信されたＭＢＭＳ制御アシストメッセージが前記ＭＴＣＨデータ送信再開時点に関する情報を含んでいる場合、前記端末は、前記ＭＴＣＨデータ送信再開時点から前記ＭＴＣＨで前記ＭＢＭＳデータの受信を開始する。しかしながら、前記ＭＢＭＳ制御アシストメッセージが前記ＭＴＣＨデータ送信再開時点に関する情報を含んでいない場合、前記端末は、前記再開を指示するＭＢＭＳスケジューリング情報を含む前記ＭＢＭＳ制御アシストメッセージを受信した直後に前記ＭＴＣＨで前記ＭＢＭＳデータの受信を開始する。
【００６８】
図６は、本発明の第２実施形態（モード２）により前記ＵＴＲＡＮと前記端末間にＭＢＭＳデータを不連続的に送受信するためのタイムラインを示す。図６に示すように、前記ＭＢＭＳスケジューリング情報を含むＭＢＭＳ制御アシストメッセージは、前記データ受信の一時停止区間に周期的に送信される。この第２実施形態のために、前記ＵＴＲＡＮは、前記データ受信の一時停止区間に周期的に送信される前記ＭＢＭＳスケジューリング情報の送信サイクルに関して前記端末に通知しなければならない。前記ＭＢＭＳスケジューリング情報の送信サイクル情報は、前記データ受信の一時停止区間に前記ＭＢＭＳスケジューリング情報が繰り返して送信される周期長を含む。この周期長は、連続した２つのＭＢＭＳスケジューリング情報送信間の時間間隔である。図６において、前記周期長は、５ＴＴＩ（すなわち、ＴＴＩの長さの５倍）である。
【００６９】
図６に示すように、前記ＵＴＲＡＮと前記端末間のＭＢＭＳデータ送受信過程は、次の通りである。前記ＵＴＲＡＮは、特定ＭＴＣＨがマッピングされるＳＣＣＰＣＨで特定ＭＢＭＳデータをＴＴＩ単位で送信する。前記ＭＢＭＳを受信しようとする端末は、前記ＭＴＣＨがマッピングされるＳＣＣＰＣＨで前記ＭＢＭＳデータを受信する（段階Ｓ１）。
【００７０】
前記ＭＴＣＨでのＭＢＭＳデータ送信を一時停止しようとする場合、前記ＵＴＲＡＮは、前記Ｓ−ＭＣＣＨで前記ＭＢＭＳデータ送信の一時停止を指示するＭＢＭＳスケジューリング情報及び前記ＭＢＭＳ識別子（又は、ＭＴＣＨ識別子）を含むＭＢＭＳ制御アシストメッセージを送信する（段階Ｓ２）。ここで、前記ＵＴＲＡＮは、前記ＭＢＭＳスケジューリング情報の送信サイクル情報を前記ＭＢＭＳ制御アシストメッセージに含む。その後、前記端末は、前記ＭＢＭＳ制御アシストメッセージを受信し、前記ＭＢＭＳデータ送信の一時停止を指示するＭＢＭＳスケジューリング情報及び前記ＭＢＭＳ識別子（又は、ＭＴＣＨ識別子）を取得する。この場合、前記端末は、前記ＭＢＭＳ制御アシストメッセージから前記ＭＢＭＳスケジューリング情報の送信サイクル情報を取得する。
【００７１】
前記ＵＴＲＡＮは、前記ＭＴＣＨでのＭＢＭＳデータ送信を一時停止し、前記端末は、前記ＭＢＭＳ制御アシストメッセージに含まれた前記ＭＢＭＳスケジューリング情報の指示によって前記ＭＴＣＨでのＭＢＭＳデータ受信を一時停止する（段階Ｓ３）。前記データ受信の一時停止区間に、前記端末は、前記ＵＴＲＡＮの指示によって測定過程のような多様な動作を行うか、前記ＭＣＣＨを受信するか、又は前記ＭＢＭＳのためのページングインジケータチャネルを受信することができる。
【００７２】
前記ＵＴＲＡＮは、前記データ受信の一時停止区間に前記Ｓ−ＭＣＣＨで前記ＭＢＭＳスケジューリング情報を含む前記ＭＢＭＳ制御アシストメッセージを周期的に送信する（段階Ｓ４）。段階Ｓ２において、前記ＭＢＭＳスケジューリング情報の送信サイクル情報が前記ＭＢＭＳ制御アシストメッセージに含まれている場合、前記端末は、前記ＭＢＭＳ制御アシストメッセージからＭＢＭＳスケジューリング情報の送信サイクル情報を取得し、前記ＭＢＭＳスケジューリング情報が周期的に送信される時間を把握する。
【００７３】
しかしながら、前記ＭＢＭＳスケジューリング情報の送信サイクル情報が前記ＭＢＭＳ制御アシストメッセージに含まれていない場合、前記端末は、段階Ｓ４を行う前にＢＣＣＨ又はＭＣＣＨで前記ＭＢＭＳスケジューリング情報の送信サイクル情報を受信する。
【００７４】
前記ＭＢＭＳスケジューリング情報が周期的に送信される時間を把握した後、前記端末は、前記ＭＴＣＨでの前記ＭＢＭＳデータの受信を一時停止し、前記Ｓ−ＭＣＣＨで前記ＭＢＭＳスケジューリング情報を周期的に受信する。
【００７５】
さらに、前記データ受信の一時停止区間に、前記ＵＴＲＡＮは、前記Ｓ−ＭＣＣＨで前記ＭＢＭＳスケジューリング情報を周期的に送信する（段階Ｓ５）。一方、前記端末は、前記ＭＴＣＨでのＭＢＭＳデータの受信を一時停止し、段階Ｓ４で取得した前記ＭＢＭＳスケジューリング情報の送信サイクル情報を用いて前記Ｓ−ＭＣＣＨで前記ＭＢＭＳスケジューリング情報を周期的に受信する。
【００７６】
その後、前記ＭＴＣＨでの前記ＭＢＭＳデータ送信を再開する場合、前記ＵＴＲＡＮは、前記ＭＢＭＳスケジューリング情報を設定して前記ＭＢＭＳデータ送信の再開を指示し、前記再開を指示するＭＢＭＳスケジューリング情報と前記ＭＢＭＳ識別子（又は、ＭＴＣＨ識別子）を含むＭＢＭＳ制御アシストメッセージを前記Ｓ−ＭＣＣＨで前記端末に送信する（段階Ｓ６）。
【００７７】
前記再開を指示するＭＢＭＳスケジューリング情報が送信される時点と前記ＭＴＣＨでの前記ＭＢＭＳのデータ送信が再開する時点間に時間差がある場合、前記ＵＴＲＡＮは、前記ＭＴＣＨデータ送信再開時点に関する情報を前記ＭＢＭＳ制御アシストメッセージに含む。前記端末は、前記ＭＢＭＳ制御アシストメッセージから前記ＭＴＣＨデータ送信再開時点に関する情報を取得する。
【００７８】
従って、前記ＵＴＲＡＮは、前記ＭＴＣＨでの前記ＭＢＭＳのデータ送信を再開し、前記端末は、段階Ｓ６段階で受信された前記ＭＢＭＳデータ送信の再開を指示するＭＢＭＳスケジューリング情報を含むＭＢＭＳ制御アシストメッセージの指示によって前記ＭＴＣＨでＭＢＭＳデータ受信を再開する（段階Ｓ７）。
【００７９】
段階Ｓ６段階で受信された前記ＭＢＭＳ制御アシストメッセージが前記ＭＴＣＨデータ送信再開時点に関する情報を含んでいる場合、前記端末は、前記情報が指示するＭＴＣＨデータ送信再開時点から前記ＭＴＣＨで前記ＭＢＭＳデータの受信を開始する。しかしながら、前記６段階で受信されたＭＢＭＳ制御アシストメッセージがＭＴＣＨデータ送信再開時点に関する情報を含んでいない場合、前記端末は、前記再開を指示するＭＢＭＳスケジューリング情報を含む前記ＭＢＭＳ制御アシストメッセージを受信した直後に前記ＭＴＣＨで前記ＭＢＭＳデータの受信を開始する。
【００８０】
図７は、本発明の第３実施形態（モード３）により前記ＵＴＲＡＮと前記端末間にＭＢＭＳデータを不連続的に送受信するためのタイムラインを示す。図７に示すように、前記ＭＢＭＳスケジューリング情報を含むＭＢＭＳ制御アシストメッセージは、前記データ受信の一時停止区間に非周期的に送信される。この実施形態のために、前記データ受信の一時停止区間に送信されるＭＢＭＳ制御アシストメッセージが前記ＭＢＭＳスケジューリング情報を含んでいる場合、前記ＵＴＲＡＮは、次のＭＢＭＳスケジューリング情報に関する送信時点情報も該当ＭＢＭＳ制御アシストメッセージに含む。
【００８１】
好ましくは、前記ＭＢＭＳスケジューリング情報を含むＭＢＭＳ制御アシストメッセージは、次に送信されるＭＢＭＳスケジューリング情報の送信時点情報を含む。好ましくは、前記次に送信されるＭＢＭＳスケジューリング情報の送信時点情報は、現在送信されているＭＢＭＳスケジューリング情報を含むＭＢＭＳ制御アシストメッセージの送信時点と次に送信されるＭＢＭＳスケジューリング情報を含むＭＢＭＳ制御アシストメッセージの送信時点との時間差（オフセット）情報を含む。
【００８２】
例えば、図７の段階Ｓ２で、前記ＭＢＭＳデータ送信の一時停止を指示するＭＢＭＳスケジューリング情報を含むＭＢＭＳ制御アシストメッセージは、７のオフセット値を含む。前記オフセット値は、段階Ｓ２でのＭＢＭＳスケジューリング情報の送信時点と段階Ｓ４でのＭＢＭＳスケジューリング情報の送信時点との時間差である。
【００８３】
このような方法で、段階Ｓ４で送信された一時停止を指示するＭＢＭＳスケジューリング情報を含む前記ＭＢＭＳ制御アシストメッセージは、４のオフセット値を含む。前記オフセット値は、段階Ｓ４でのＭＢＭＳスケジューリング情報の送信時点と段階Ｓ５でのＭＢＭＳスケジューリング情報の送信時点との時間差である。
【００８４】
同様の方法で、段階Ｓ５で送信された一時停止を指示するＭＢＭＳスケジューリング情報を含むＭＢＭＳ制御アシストメッセージは、５のオフセット値を含み、ここで、前記オフセット値は、段階Ｓ５でのＭＢＭＳスケジューリング情報の送信時点と段階Ｓ６でのＭＢＭＳスケジューリング情報の送信時点との時間差である。
【００８５】
このような方法は、前記ＭＢＭＳデータ送信の再開を指示するＭＢＭＳスケジューリング情報を含むＭＢＭＳ制御アシストメッセージにも適用できる。図７の段階Ｓ６で送信された再開を指示するＭＢＭＳスケジューリング情報を含むＭＢＭＳ制御アシストメッセージは、３のオフセット値を含む。前記オフセット値は、段階Ｓ６でのＭＢＭＳスケジューリング情報の送信時点と直後の前記ＭＴＣＨでの前記ＭＢＭＳデータ送信の再開時点との時間差である。
【００８６】
以下、前記ＵＴＲＡＮと前記端末間の特定ＭＢＭＳデータを送受信する過程を説明する。前記ＵＴＲＡＮは、前記ＭＢＭＳデータを特定ＭＴＣＨがマッピングされる特定ＳＣＣＰＣＨでＴＴＩ単位で送信する。前記ＭＢＭＳを受信しようとする端末は、前記ＭＴＣＨがマッピングされるＳＣＣＰＣＨで前記ＭＢＭＳデータを受信する（段階Ｓ１）。
【００８７】
前記ＭＴＣＨでのＭＢＭＳデータ送信をデータ送信中に一時停止する場合、前記ＵＴＲＡＮは、前記Ｓ−ＭＣＣＨで前記ＭＢＭＳデータ送信の一時停止を指示するＭＢＭＳスケジューリング情報、ＭＢＭＳ識別子（又は、ＭＴＣＨ識別子）、及びオフセット値を含むＭＢＭＳ制御アシストメッセージを送信する（段階Ｓ２）。ここで、前記オフセット値は７である。前記端末は、前記ＭＢＭＳ制御アシストメッセージを受信し、前記一時停止を指示するＭＢＭＳスケジューリング情報、特定ＭＢＭＳ識別子（又は、ＭＴＣＨ識別子）、及びオフセット値を取得する。
【００８８】
その後、前記ＵＴＲＡＮは、前記ＭＴＣＨでの前記ＭＢＭＳデータ送信を一時停止し、前記端末は、前記ＭＢＭＳ制御アシストメッセージに含まれた前記ＭＢＭＳスケジューリング情報の指示によって前記ＭＴＣＨでの前記ＭＢＭＳデータ受信を一時停止する（段階Ｓ３）。前記データ受信の一時停止区間に、前記端末は、前記ＵＴＲＡＮの指示によって測定過程のような多様な動作を行うか、前記ＭＣＣＨを受信するか、又は前記ＭＢＭＳのためのページングインジケータチャネルを受信することができる。
【００８９】
前記ＵＴＲＡＮは、一時停止区間に前記Ｓ−ＭＣＣＨでＭＢＭＳスケジューリング情報、前記ＭＢＭＳサービス識別子（又は、ＭＴＣＨ識別子）、及びオフセット値を含む次のＭＢＭＳ制御アシストメッセージを送信する（段階Ｓ４）。前記端末は、段階Ｓ２で取得したオフセット値（ｏｆｆｓｅｔ＝７）を使用して前記ＭＢＭＳスケジューリング情報を含むＭＢＭＳ制御アシストメッセージの次の送信時点を把握し、前記指示された送信時点で該当ＭＢＭＳ制御アシストメッセージを受信する。
【００９０】
好ましくは、段階Ｓ２で前記端末が取得した前記オフセット値が７であるので、前記端末は、６ＴＴＩの間特定ＭＴＣＨがマッピングされたＳＣＣＰＣＨの受信を一時停止する。７ＴＴＩの後、前記端末は、現在の段階Ｓ４のＭＢＭＳスケジューリング情報を含むＭＢＭＳ制御アシストメッセージを受信する。さらに、前記端末は、現在の段階Ｓ４で受信されたＭＢＭＳ制御アシストメッセージに含まれた新しいオフセット値（ｏｆｆｓｅｔ＝４）を取得する。
【００９１】
前記ＵＴＲＡＮは、前記データ受信の一時停止区間に前記Ｓ−ＭＣＣＨで前記ＭＢＭＳスケジューリング情報、前記ＭＢＭＳ識別子（又は、ＭＴＣＨ識別子）、及び前記オフセット値を含む次のＭＢＭＳ制御アシストメッセージを送信する（段階Ｓ５）。この場合、前記端末は、以前の段階Ｓ４段階で取得した新しいオフセット値（ｏｆｆｓｅｔ＝４）によって現在送信されている前記ＭＢＭＳスケジューリング情報を含むＭＢＭＳ制御アシストメッセージを受信する。さらに、前記端末は、現在の段階Ｓ５で受信したＭＢＭＳ制御アシストメッセージに含まれた新しいオフセット値（ｏｆｆｓｅｔ＝５）も取得する。
【００９２】
その後、前記ＭＴＣＨでの前記ＭＢＭＳデータ送信を再開する場合、前記ＵＴＲＡＮは、前記ＭＢＭＳスケジューリング情報を設定して前記ＭＢＭＳデータ送信の再開を指示した後、該当ＭＢＭＳスケジューリング情報及びＭＢＭＳ識別子（又は、ＭＴＣＨ識別子）を含むＭＢＭＳ制御アシストメッセージを前記Ｓ−ＭＣＣＨで前記端末に送信する（段階Ｓ６）。
【００９３】
前記再開を指示するＭＢＭＳスケジューリング情報が送信される時点と前記ＭＴＣＨでのＭＢＭＳデータ送信が再開される時点との間に時間差がある場合、前記ＵＴＲＡＮは、オフセット値のようなＭＴＣＨデータ送信再開時点に関連した情報も前記ＭＢＭＳ制御アシストメッセージに含む。この場合、前記端末は、前記ＭＴＣＨデータ送信再開時点に関した情報、すなわち、オフセット値を前記ＭＢＭＳ制御アシストメッセージから取得する。ここで、前記オフセットは３の値を有する。
【００９４】
従って、前記ＵＴＲＡＮは、前記ＭＴＣＨでの前記ＭＢＭＳデータ送信を再開し、前記端末は、段階Ｓ６で受信された前記再開を指示するＭＢＭＳスケジューリング情報を含む前記ＭＢＭＳ制御アシストメッセージの指示によって前記ＭＴＣＨでの前記ＭＢＭＳデータ受信を再開する（段階Ｓ７）。
【００９５】
段階Ｓ６で受信されたＭＢＭＳ制御アシストメッセージが前記ＭＴＣＨデータ送信再開時点に関する情報、すなわち、オフセット値（ｏｆｆｓｅｔ＝３）を含んでいる場合、前記端末は、前記オフセットが指示する前記ＭＴＣＨデータ送信再開時点から前記ＭＴＣＨで前記ＭＢＭＳデータの受信を開始する。
【００９６】
例えば、図７に示すように、前記オフセット値が３である場合、前記端末は、再開を指示するＭＢＭＳスケジューリング情報及び段階Ｓ６でのＭＴＣＨデータ送信再開時点を含むＭＢＭＳ制御アシストメッセージを受信する。その後、前記端末は、２ＴＴＩの間受信を一時停止した後、前記ＭＴＣＨでの前記ＭＢＭＳデータの受信を再開する。
【００９７】
段階Ｓ６で受信されたＭＢＭＳ制御アシストメッセージがＭＴＣＨデータ送信再開時点に関する情報を含んでいない場合、前記端末は、前記再開を指示するＭＢＭＳスケジューリング情報を含む前記ＭＢＭＳ制御アシストメッセージを受信した直後に前記ＭＴＣＨでの前記ＭＢＭＳデータの受信を再開する。
【００９８】
本発明においては、説明の便宜のために、３つのタイプの不連続送受信方法を３つの異なる実施形態（モード）で説明している。前記３つのタイプの不連続送受信方法は選択的に使用され、前記ＵＴＲＡＮは、前記選択された実施形態（モード）に関する情報を前記端末に送信する。すなわち、前記ＵＴＲＡＮは、モードインジケータを前記端末に送信する。
【００９９】
前記ＵＴＲＡＮは、前記モードインジケータを送信し、前記端末は、前記データ受信の一時停止区間に前記受信されたモードインジケータが指示するモードに従って動作する。各モードによる端末の動作は、図５〜図７を参照して説明された。
【０１００】
前記ＵＴＲＡＮは、多様な論理チャネルで前記モードインジケータを前記端末に送信できる。第１に、ＵＴＲＡＮ  ＲＲＣは、前記ＢＣＣＨでシステム情報を利用して端末ＲＲＣにモードインジケータを送信できる。第２に、前記ＵＴＲＡＮ  ＲＲＣは、前記ＭＣＣＨでＭＢＭＳ  ＲＲＣメッセージを利用して前記モードインジケータを前記端末ＲＲＣに送信できる。第３に、前記ＵＴＲＡＮ  ＲＲＣは、前記Ｓ−ＭＣＣＨで前記モードインジケータを前記端末ＲＲＣに送信できる。
【０１０１】
好ましくは、前記モードインジケータが前記Ｓ−ＭＣＣＨで前記端末に送信されると、前記ＵＴＲＡＮ  ＲＲＣは、前記ＭＢＭＳデータ送信の一時停止を指示するＭＢＭＳスケジューリング情報を含むＭＢＭＳ制御アシストメッセージを利用して前記端末ＲＲＣにモードインジケータを送信する。特に、前記ＵＴＲＡＮ  ＲＲＣは、前記ＭＴＣＨデータ送信と最も隣接した一時停止を指示するＭＢＭＳスケジューリング情報を含むＭＢＭＳ制御アシストメッセージを利用して前記モードインジケータを前記端末ＲＲＣに送信する。すなわち、前記ＵＴＲＡＮ  ＲＲＣは、図５〜図７の段階Ｓ２で一時停止を指示するＭＢＭＳスケジューリング情報を含むＭＢＭＳ制御アシストメッセージを使用する。
【０１０２】
例えば、図５〜図７の段階Ｓ２で、前記ＵＴＲＡＮは、前記一時停止を指示するＭＢＭＳスケジューリング情報を含むＭＢＭＳ制御アシストメッセージに前記モードインジケータを含めた後、前記端末に送信する。従って、前記端末は、前記モードインジケータを含むＭＢＭＳ制御アシストメッセージを受信した後、前記データ受信の一時停止区間に該当モードインジケータが指示するモードに従って動作する。
【０１０３】
本発明は、移動通信に関連して説明されたが、無線通信特性を備えたＰＤＡ及びラップトップコンピュータのような移動装置を使用する他の無線通信システムにも適用できる。また、本発明を説明するために使用された特定用語は本発明の権利範囲をＵＭＴＳなどの特定無線通信システムに限定するものではない。本発明は、さらに、ＴＤＭＡ、ＣＤＭＡ、ＦＤＭＡ、ＷＣＤＭＡなどの他の無線インタフェース及び／又は他の物理層を使用する他の無線通信システムにも適用できる。
【０１０４】
本実施形態は、ソフトウェア、ファームウエア、ハードウェア又はこれらの組み合わせを生産するための標準プログラム及び／又はエンジニアリング技術を利用して製造方法、装置又は製造物として実行できる。ここで、「製造物」という用語は、ハードウェアロジック（例：  集積回路チップ、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）、コンピュータ可読媒体（例：  ハードディスクドライブ、フロッピー（登録商標）ディスク、テープなどの磁気記録媒体）、光記録装置（ＣＤ−ＲＯＭ、光ディスクなど）、又は揮発性／不揮発性メモリ装置（例：  ＥＥＰＲＯＭ、ＲＯＭ、ＰＲＯＭ、ＲＡＭ、ＤＲＡＭ、ＳＲＡＭ、ファームウエア、プログラムロジックなど）において実行されるコードやロジックを示す。
【０１０５】
コンピュータ可読媒体内のコードはプロセッサにより接続及び実行される。本実施形態を実行するコードは伝送媒体を通じて、又はネットワーク上のファイルサーバから接続することもできる。その場合、前記コードが実行される製造物は、ネットワーク転送ライン、無線伝送媒体、空間を通じて伝達される信号、無線波、赤外線信号などの伝送媒体を含む。もちろん、当該技術分野における通常の知識を有する者であれば、本発明の要旨を逸脱しない範囲においてこのような形態の多様な変形が可能であり、前記製造物が公知の情報伝達媒体も含むことができるという点を理解すると思われる。
【０１０６】
本発明は、前述した実施形態と利点は本発明を制限するものでなく、単なる例示にすぎない。本発明は、他の形態の装置にも容易に適用できる。本発明の説明は特許請求の範囲を制限するものでなく、単なる説明の便宜のためのものである。当該技術分野における通常の知識を有する者であれば多様な代案、変更、変形が可能であることを理解すると思われる。請求項において、ミーンズプラスファンクションクレームは列挙された機能を実行するものであり、ここに記載された構造、構造的同等物だけでなく均等な構造まで含む。
【図面の簡単な説明】
【０１０７】
発明の理解を容易にするために添付され、本明細書の一部を構成する図面は、発明の多様な実施形態を示し、明細書と共に発明の原理を説明するためのものである。
【図１】従来のＵＭＴＳネットワーク構造のブロック図である。
【図２】３ＧＰＰ無線アクセスネットワーク規格に基づく従来の無線接続インタフェースプロトコルのブロック図である。
【図３】従来のＭＢＭＳチャネルマッピング構造を示す図である。
【図４】本発明の実施形態によるＭＢＭＳチャネルマッピング構造を示す図である。
【図５】本発明の実施形態により、移動通信システムにおいてＭＢＭＳデータを不連続的に送受信するためのタイムラインを示す図である。
【図６】本発明の他の実施形態により、移動通信システムにおいてＭＢＭＳデータを不連続的に送受信するためのタイムラインを示す図である。
【図７】本発明の他の実施形態により、移動通信システムにおいてＭＢＭＳデータを不連続的に送受信するためのタイムラインを示す図である。
【図１】
2007511940.tif 000003
【図２】
2007511940.tif 000004
【図３】
2007511940.tif 000005
【図４】
2007511940.tif 000006
【図５】
2007511940.tif 000007
【図６】
2007511940.tif 000008
【図７】
2007511940.tif 000009
【国際調査報告】
2007511940.tif 000010
2007511940.tif 000011